(57)【特許請求の範囲】
【請求項１】
一の利用者と他の利用者とを結び付けるサービスにおいて当該他の利用者の画像を表示部に表示するステップと、
前記他の利用者の画像が前記表示部に表示された場合に、前記一の利用者が当該表示部において指示する指示位置の移動量に応じて当該他の利用者に対する評価を異ならせるステップと、
前記一の利用者が前記表示部における前記指示を解除することにともない、前記評価の情報を取得し前記他の利用者とは異なる利用者の画像を当該表示部に表示させるステップと
をコンピュータに実行させる、プログラム。
【請求項２】
前記他の利用者に対する評価を示す画像を、前記他の利用者の画像に重ねて前記表示部に表示し、前記指示位置の移動量の増加に伴って、当該評価を示す画像が当該他の利用者の画像に重なる領域が拡張するステップをコンピュータに実行させる、
請求項１記載のプログラム。
【請求項３】
前記他の利用者の画像は、当該他の利用者の顔を示す画像を含み、前記指示位置の移動量の増加に伴って、当該評価を示す画像が当該他の利用者の顔を示す画像に重なる
請求項２記載のプログラム。
【請求項４】
前記評価を異ならせるステップは、前記指示位置の移動量の増加に伴って、前記他の利用者に対する評価を上げる
請求項１乃至３のいずれか１項記載のプログラム。
【請求項５】
前記評価を異ならせるステップは、前記指示位置の特定方向への移動により前記他の利用者に対する評価を上げるとともに、当該指示位置が当該特定方向とは反対方向に移動した場合には当該他の利用者に対する評価を下げる
請求項４記載のプログラム。
【請求項６】
前記他の利用者の画像が表示されてから特定の時間内に前記表示部において指示がされない場合に、当該他の利用者に対する評価を予め定められた評価とするステップをコンピュータに実行させる、
請求項１乃至５のいずれか１項記載のプログラム。
【請求項７】
前記評価を異ならせるステップは、前記指示位置が直線方向又は円弧状に沿って移動した場合に、当該指示位置の移動量に応じて前記他の利用者に対する評価を異ならせる
請求項１乃至６のいずれか１項記載のプログラム。
【請求項８】
一の利用者と他の利用者とを結び付けるサービスにおいて当該他の利用者の画像を表示部に表示するステップと、
前記他の利用者の画像が前記表示部に表示された場合に、前記一の利用者が当該表示部において指示する指示位置が直線方向又は円弧状に沿って移動する移動量に応じて当該他の利用者に対する評価を異ならせて、当該指示位置の特定方向への移動により当該他の利用者に対する評価を上げるとともに、当該指示位置が当該特定方向とは反対方向に移動した場合には当該他の利用者に対する評価を下げるステップと、
前記他の利用者に対する評価を示す画像を、前記他の利用者の画像に重ねて前記表示部に表示するとともに、前記指示位置の移動量の増加に伴って、当該評価を示す画像が当該他の利用者の画像に重なる領域が拡張し、当該評価を示す画像が当該他の利用者の顔を示す画像に重なるステップと、
前記一の利用者が前記表示部における前記指示を解除することにともない、前記評価の情報を取得し前記他の利用者とは異なる利用者の画像を当該表示部に表示させるステップと
をコンピュータに実行させる、プログラム。
【請求項９】
一の利用者と他の利用者とを結び付けるサービスを提供する管理装置と、当該一の利用者が操作する操作端末とを有する情報処理システムであって、
前記操作端末は、前記管理装置から取得した前記他の利用者の画像を表示部に表示した場合に、前記一の利用者が当該表示部において指示する指示位置の移動量に応じて当該他の利用者に対する評価を異ならせて、前記一の利用者が前記表示部における前記指示を解除することにともない当該評価の情報を当該管理装置に送信し、
前記管理装置は、前記操作端末に前記他の利用者の画像を送信し、当該操作端末から当該他の利用者に対する評価の情報を取得し、当該他の利用者とは異なる利用者の画像を当該表示部に表示させる、
情報処理システム。
【請求項１０】
評価の対象となる評価対象者の画像を表示部に表示するステップと、
前記評価対象者の画像が前記表示部に表示された場合に、操作者が当該表示部において指示する指示位置の移動量に応じて当該評価対象者に対する評価を異ならせるステップと、
前記操作者が前記表示部における前記指示を解除することにともない、前記評価の情報を取得し前記評価対象者とは異なる評価対象者の画像を当該表示部に表示させるステップと
をコンピュータに実行させる、プログラム。
【発明の詳細な説明】
【技術分野】
【０００１】
本発明は、プログラムおよび情報処理システムに関する。
【背景技術】
【０００２】
特許文献１には、遠隔地にいる男女会員どうしのマッチングを、通信ネットワーク上で管理サーバの管理下で自宅や外出先の端末を利用して実施可能にすることを目的とする技術が開示されている。また、特許文献１には、通信ネットワークに端末および管理サーバが接続され、前記端末を通じて男女会員の双方からマッチングの希望があったとき、前記管理サーバが、自身が保有する男女会員の個人データを記録したデータベースを参照し、予め用意された相性診断プログラムに従って、前記男女会員双方に関するデータのデータマッチングを行い、このデータマッチングの結果、男女会員双方の希望条件が一定の基準を満たしている場合に、電子メール、ファクシミリ、または郵送などの通信手段によって男女会員双方の匿名プロフィールによる同時紹介を行うことを特徴とする結婚相手紹介システムが開示されている。
【先行技術文献】
【特許文献】
【０００３】
【特許文献１】特開２００２−１５０５２号公報
【発明の概要】
【発明が解決しようとする課題】
【０００４】
従来、例えば男女の出会いを目的として、インターネット等の通信ネットワークを介して、サービスの利用者同士を結び付けるシステムが存在する。例えば、このようなシステムにおいて利用者が他の利用者を評価する際には、簡易な操作で行えることが望ましい。
本発明では、評価の対象となる評価対象者を評価する際に、文字を入力して評価する構成と比較して、簡易な操作で評価することが可能なプログラム等を提供することを目的とする。
【課題を解決するための手段】
【０００５】
かかる目的のもと、本明細書に開示される技術は、一の利用者と他の利用者とを結び付けるサービスにおいて当該他の利用者の画像を表示部に表示するステップと、前記他の利用者の画像が前記表示部に表示された場合に、前記一の利用者が当該表示部において指示する指示位置の移動量に応じて当該他の利用者に対する評価を異ならせるステップと、前記一の利用者が前記表示部における前記指示を解除することにともない、前記評価の情報を取得し前記他の利用者とは異なる利用者の画像を当該表示部に表示させるステップとをコンピュータに実行させる、プログラムである。
ここで、前記他の利用者に対する評価を示す画像を、前記他の利用者の画像に重ねて前記表示部に表示し、前記指示位置の移動量の増加に伴って、当該評価を示す画像が当該他の利用者の画像に重なる領域が拡張するステップをコンピュータに実行させるとよい。
また、前記他の利用者の画像は、当該他の利用者の顔を示す画像を含み、前記指示位置の移動量の増加に伴って、当該評価を示す画像が当該他の利用者の顔を示す画像に重なるとよい。
また、前記評価を異ならせるステップは、前記指示位置の移動量の増加に伴って、前記他の利用者に対する評価を上げるとよい。
また、前記評価を異ならせるステップは、前記指示位置の特定方向への移動により前記他の利用者に対する評価を上げるとともに、当該指示位置が当該特定方向とは反対方向に移動した場合には当該他の利用者に対する評価を下げるとよい。
また、前記他の利用者の画像が表示されてから特定の時間内に前記表示部において指示がされない場合に、当該他の利用者に対する評価を予め定められた評価とするステップをコンピュータに実行させるとよい。
また、前記評価を異ならせるステップは、前記指示位置が直線方向又は円弧状に沿って移動した場合に、当該指示位置の移動量に応じて前記他の利用者に対する評価を異ならせるとよい。
【０００６】
他の観点から捉えると、本明細書に開示される技術は、一の利用者と他の利用者とを結び付けるサービスにおいて当該他の利用者の画像を表示部に表示するステップと、前記他の利用者の画像が前記表示部に表示された場合に、前記一の利用者が当該表示部において指示する指示位置が直線方向又は円弧状に沿って移動する移動量に応じて当該他の利用者に対する評価を異ならせて、当該指示位置の特定方向への移動により当該他の利用者に対する評価を上げるとともに、当該指示位置が当該特定方向とは反対方向に移動した場合には当該他の利用者に対する評価を下げるステップと、前記他の利用者に対する評価を示す画像を、前記他の利用者の画像に重ねて前記表示部に表示するとともに、前記指示位置の移動量の増加に伴って、当該評価を示す画像が当該他の利用者の画像に重なる領域が拡張し、当該評価を示す画像が当該他の利用者の顔を示す画像に重なるステップと、前記一の利用者が前記表示部における前記指示を解除することにともない、前記評価の情報を取得し前記他の利用者とは異なる利用者の画像を当該表示部に表示させるステップとをコンピュータに実行させる、プログラムである。
更に他の観点から捉えると、本明細書に開示される技術は、一の利用者と他の利用者とを結び付けるサービスを提供する管理装置と、当該一の利用者が操作する操作端末とを有する情報処理システムであって、前記操作端末は、前記管理装置から取得した前記他の利用者の画像を表示部に表示した場合に、前記一の利用者が当該表示部において指示する指示位置の移動量に応じて当該他の利用者に対する評価を異ならせて、前記一の利用者が前記表示部における前記指示を解除することにともない当該評価の情報を当該管理装置に送信し、前記管理装置は、前記操作端末に前記他の利用者の画像を送信し、当該操作端末から当該他の利用者に対する評価の情報を取得し、当該他の利用者とは異なる利用者の画像を当該表示部に表示させる、情報処理システムである。
更に他の観点から捉えると、本明細書に開示される技術は、評価の対象となる評価対象者の画像を表示部に表示するステップと、前記評価対象者の画像が前記表示部に表示された場合に、操作者が当該表示部において指示する指示位置の移動量に応じて当該評価対象者に対する評価を異ならせるステップと、前記操作者が前記表示部における前記指示を解除することにともない、前記評価の情報を取得し前記評価対象者とは異なる評価対象者の画像を当該表示部に表示させるステップとをコンピュータに実行させる、プログラムである。
【発明の効果】
【０００７】
本発明によれば、評価の対象となる評価対象者を評価する際に、文字を入力して評価する構成と比較して、簡易な操作で評価することが可能なプログラム等が提供される。
【図面の簡単な説明】
【０００８】
【図１】本実施の形態が適用される情報処理システムの全体構成例を示した図である。
【図２】管理装置のハードウェア構成例を示した図である。
【図３】利用者端末のハードウェア構成例を示した図である。
【図４】利用者端末の構成例を説明するための図である。
【図５】一の利用者端末において一の利用者が他の利用者を評価する際の処理手順の一例を示したフローチャートである。
【図６】（Ａ）〜（Ｆ）は、一の利用者端末において一の利用者が他の利用者を評価する際の処理の具体例を説明するための図である。
【図７】（Ａ）、（Ｂ）は、一の利用者端末において一の利用者が他の利用者を評価する際の処理の具体例を説明するための図である。
【図８】（Ａ）〜（Ｃ）は、他の利用者に対する評価を上げる際の接触位置の移動方向の他の例を説明するための図である。
【図９】（Ａ）〜（Ｄ）は、他の利用者に対する評価をする際の接触位置の移動方向の他の例を説明するための図である。
【図１０】（Ａ）は操作パネルにおける接触位置の接触時間に応じて他の利用者に対する評価を異ならせる場合について説明するための図であり、（Ｂ）は操作パネルにおける接触位置の移動速度に応じて他の利用者に対する評価を異ならせる場合について説明するための図であり、（Ｃ）は操作パネルにおける接触位置に応じて他の利用者に対する評価を異ならせる場合について説明するための図である。
【発明を実施するための形態】
【０００９】
以下、添付図面を参照して、本発明の実施の形態について説明する。
＜情報処理システム１＞
図１は、本実施の形態が適用される情報処理システム１の全体構成例を示した図である。
本実施の形態に係る情報処理システム１は、管理装置１０と、複数の利用者端末２０とを有する。管理装置１０および利用者端末２０は、ネットワーク３０を介して互いに接続されている。
【００１０】
情報処理システム１は、管理装置１０が特定のサービスを提供することにより、利用者端末２０を操作する利用者がそのサービスを利用することを可能とする。更に説明すると、情報処理システム１は、例えば、管理装置１０が一の利用者と他の利用者とを結び付けるサービスを提供することにより、その結び付いた利用者間で情報の送受信をする機会を提供するものである。より具体的には、管理装置１０が提供するサービスにより、例えば、異性や同性との出会いを求める利用者同士が管理装置１０やネットワーク３０を介して結び付けられて、一の利用者が他の利用者にメッセージを送信したり、利用者同士がメッセージのやり取りをしたりすることが可能になる。
なお、以下の説明では、一の利用者と他の利用者とを結び付けるサービスを「マッチングサービス」と称する場合がある。また、マッチングサービスを利用する利用者のうち、一の利用者を、単に「一の利用者」と称し、一の利用者ではない他の利用者を、単に「他の利用者」と称する場合がある。
【００１１】
管理装置１０は、コンピュータ装置によって構成される。この管理装置１０は、情報処理システム１におけるサーバとして機能する。管理装置１０は、上述したように、マッチングサービスを提供する。より具体的には、管理装置１０は、例えば、利用者端末１０にインストールされるアプリケーションを介して利用者端末２０と情報のやり取りをする形式でマッチングサービスを提供したり、利用者端末１０からアクセス可能なＷｅｂサイトの形式でマッチングサービスを提供したりする。そして、詳細は後述するが、例えば、管理装置１０は、一の利用者が操作する利用者端末２０に対して、他の利用者の情報を提供する。
【００１２】
利用者端末２０は、スマートフォン、タブレット型コンピュータ、ノート型コンピュータあるいはデスクトップ型コンピュータ等のコンピュータ装置によって構成される。この利用者端末２０は、情報処理システム１におけるクライアントとして機能する。また、利用者端末２０は、管理装置１０が提供するマッチングサービスを利用する利用者によって操作される。詳細は後述するが、例えば、利用者端末２０は、マッチングサービスを利用する一の利用者に向けて他の利用者の画像を表示したり、表示された他の利用者に対する評価を一の利用者から受け付けたりする。
【００１３】
なお、図１には３つの利用者端末２０を示したが、利用者端末２０の数は３つに限定されない。
また、以下の説明では、マッチングサービスを利用するために一の利用者が操作する利用者端末２０を「一の利用者端末２０」と称し、他の利用者が操作する利用者端末２０を「他の利用者端末２０」と称する場合がある。
【００１４】
ネットワーク３０は、管理装置１０、利用者端末２０における情報通信に用いられる通信手段であり、例えば、インターネットや公衆回線、ＬＡＮ（Local Area Network）を含む。また、ネットワーク３０は、有線通信によるネットワークおよび無線通信によるネットワークを含む。
【００１５】
＜管理装置１０のハードウェア構成＞
図２は、管理装置１０のハードウェア構成例を示した図である。
図２に示すように、管理装置１０は、ＣＰＵ１０１と、ＲＡＭ（Random Access Memory）１０２と、ＲＯＭ（Read Only Memory）１０３と、ＨＤＤ（Hard Disk Drive）１０４と、通信Ｉ／Ｆ１０５とを備える。
【００１６】
ＣＰＵ１０１は、ＲＯＭ１０３等に記憶された各種プログラムをＲＡＭ１０２にロードして実行することにより、管理装置１０の各機能を実現する。
ＲＡＭ１０２は、ＣＰＵ１０１の作業用メモリ等として用いられるメモリである。
ＲＯＭ１０３は、ＣＰＵ１０１が実行する各種プログラム等を記憶するメモリである。
ＨＤＤ１０４は、マッチングサービスの実現に用いられる各種データ等を記憶する例えば磁気ディスク装置である。
通信Ｉ／Ｆ１０５は、ネットワーク３０（図１参照）を介して他の装置との間で各種情報の送受信を行う。
【００１７】
ここで、ＣＰＵ１０１によって実行されるプログラムは、半導体メモリ等のコンピュータが読取可能な記録媒体に記憶した状態で、管理装置１０へ提供しうる。また、ＣＰＵ１０１によって実行されるプログラムは、ネットワーク３０を介して管理装置１０へダウンロードしてもよい。例えば、管理装置１０の各機能を実現するプログラムを、アプリケーションとして管理装置１０へダウンロードしてもよい。
【００１８】
＜利用者端末２０のハードウェア構成＞
図３は、利用者端末２０のハードウェア構成例を示した図である。
図３に示すように、利用者端末２０は、ＣＰＵ２０１と、ＲＡＭ２０２と、ＲＯＭ２０３と、記憶部２０４と、操作パネル２０５と、スピーカ２０６と、マイク２０７と、カメラ２０８と、ＧＰＳセンサ２０９と、通信Ｉ／Ｆ２１０とを備える。
【００１９】
ＣＰＵ２０１は、ＲＯＭ２０３等に記憶された各種プログラムをＲＡＭ２０２にロードして実行することにより、利用者端末２０の各機能を実現する。
ＲＡＭ２０２は、ＣＰＵ２０１の作業用メモリ等として用いられるメモリである。
ＲＯＭ２０３は、ＣＰＵ２０１が実行する各種プログラム等を記憶するメモリである。
記憶部２０４は、マッチングサービスの利用の際に用いられるアプリケーション等の各種アプリケーションのプログラム、および当該プログラムによって使用される各種データ等を記憶する例えばフラッシュメモリである。
【００２０】
操作パネル２０５は、画像を表示するとともに、操作者からの操作を受け付ける。この操作パネル２０５は、液晶ディスプレイ等で構成された表示パネル、表示パネルの上に配置され、操作者による接触が行われたことを検出するタッチパネル、操作者により押下される物理キー等から構成される。そして、操作パネル２０５は、例えば、各種画像を表示パネルに表示したり、タッチパネルおよび物理キーにより操作者からの操作を受け付けたりする。
なお、操作パネル２０５で接触を検出する手段としては、接触による圧力をもとに検出する手段や、接触した物の静電気をもとに検出する手段等、どのようなものが用いられてもよい。
また、以下の説明では、操作者の指が操作パネル２０５に触れる操作を接触操作として説明するが、接触操作は、操作者の指が接触するものに限られない。例えば、操作者が持つスタイラスペン等により接触操作が行われることとしてもよい。
更に、利用者端末２０は、キーボードやマウス等の入力デバイスを備えてもよい。
【００２１】
スピーカ２０６は、通話先から受信された受話音声を含む種々の音声を出力する。
マイク２０７は、利用者の発話音声を含む種々の音声を取得する。
カメラ２０８は、レンズと、ＣＭＯＳ（Complementary Metal‐Oxide Semiconductor）等の撮像素子（画像センサ）とを含み、被写体を撮影する。
【００２２】
ＧＰＳセンサ２０９は、ＧＰＳ（Global Positioning System）信号を取得し、利用者端末２０の位置情報を取得する。
通信Ｉ／Ｆ２１０は、ネットワーク３０（図１参照）等を介して他の通信機器との間でデータを送受信する。
【００２３】
ここで、ＣＰＵ２０１によって実行されるプログラムは、半導体メモリ等のコンピュータが読取可能な記録媒体に記憶した状態で、利用者端末２０へ提供し得る。また、ＣＰＵ２０１によって実行されるプログラムは、管理装置１０等からネットワーク３０を介して利用者端末２０へダウンロードしてもよい。例えば、マッチングサービスの各機能を実現するプログラムを、アプリケーションとして管理装置１０から利用者端末２０へダウンロードしてもよい。
【００２４】
＜利用者端末２０の構成例＞
図４は、利用者端末２０の構成例を説明するための図である。
利用者端末２０は、他利用者情報取得部２１と、操作受付部２２と、表示制御部２３と、評価決定部２４と、評価送信部２５とを有する。以下では、図４に示す利用者端末２０が、一の利用者が操作する一の利用者端末２０であるものとして説明する。
【００２５】
他利用者情報取得部２１は、管理装置１０から、他の利用者の情報を取得する。ここで取得される情報には、他の利用者の画像が含まれる。
【００２６】
操作受付部２２は、一の利用者が操作パネル２０５において指示する操作を受け付ける。操作受付部２２は、例えば、「タップ」、「スワイプ」等の操作を受け付ける。「タップ」とは、操作パネル２０５を軽く叩くようにして一の利用者の指が触れる操作である。「スワイプ」とは、一の利用者が操作パネル２０５に指を接触させつつ、その接触位置を移動させる操作である。
【００２７】
表示制御部２３は、操作パネル２０５の表示を制御するための制御信号を生成し、操作パネル２０５の表示を制御する。例えば、表示制御部２４は、マッチングサービスにより提供される各種画像を操作パネル２０５に表示する。より具体的には、例えば、表示制御部２４は、他の利用者の画像を操作パネル２０５に表示する。また、例えば、表示制御部２４は、一の利用者が他の利用者を評価することにより、その評価を示す画像を操作パネル２０５に表示する。
【００２８】
評価決定部２４は、操作受付部２２が受け付けた一の利用者の操作を基に、他の利用者に対する評価を決定する。より具体的には、評価決定部２３は、他の利用者の画像が操作パネル２０５に表示された場合に、一の利用者が操作パネル２０５において指示する指示位置の移動量に応じて他の利用者に対する評価を異ならせる処理を行う。この処理の詳細については、後述する。
【００２９】
評価送信部２５は、他の利用者に対する評価の情報を管理装置１０に送信する。
【００３０】
＜利用者端末２０の処理手順＞
次に、図５を参照しながら、利用者端末２０の処理手順について説明する。図５は、一の利用者端末２０において一の利用者が他の利用者を評価する際の処理手順の一例を示したフローチャートである。
なお、以下では、処理のステップを記号の「Ｓ」と表記する場合がある。
【００３１】
マッチングサービスを利用する前提として、利用者は、例えば、利用者端末２０から管理装置１０にアクセスして、マッチングサービスの各機能を実現するアプリケーションを管理装置１０からダウンロードする。そして、利用者は、利用者端末２０にて、ダウンロードしたアプリケーションをインストールして、マッチングサービスの利用を開始する。また、利用者は、マッチングサービスの利用を開始するに際して、マッチングサービスの画面上で自己の情報を入力する。ここで入力される情報には、例えば、利用者の氏名、性別、年齢、職業、血液型、利用者の画像等が含まれる。利用者の画像は、利用者の顔や全身等の利用者の外見を表す画像である。利用者がこれらの情報を入力すると、入力された情報は、利用者端末２０から管理装置１０へ送信される。このようにして、各利用者の情報が管理装置１０に蓄積される。
【００３２】
ここで、一の利用者が一の利用者端末２０を操作してマッチングサービスの利用を開始すると、そのマッチングサービスの利用中、管理装置１０は、評価の対象となる評価対象者の情報として、他の利用者の情報を一の利用者端末２０に送信する。これにより、一の利用者端末２０の他利用者情報取得部２１は、管理装置１０から、他の利用者の情報を取得する（Ｓ１０１）。ここで取得される情報は、他の利用者が入力した情報であり、上述したように、他の利用者の画像が含まれている。
【００３３】
次に、表示制御部２３は、Ｓ１０１で取得された他の利用者の画像を操作パネル２０５に表示する（Ｓ１０２）。
次に、評価決定部２４は、操作受付部２２において、一の利用者が操作パネル２０５に指を接触させる操作（例えば、タップ操作やスワイプ操作）を受け付けたか否かを判定する（Ｓ１０３）。
【００３４】
Ｓ１０３で肯定の判断（ＹＥＳ）がされた場合、評価決定部２４は、接触位置の移動量に応じて、他の利用者に対する評価を決定する（Ｓ１０４）。ここで、評価決定部２４は、一の利用者が操作パネル２０５に指を接触させつつ、その接触位置を移動させる移動量に応じて、他の利用者に対する評価を決定する。付言すると、接触位置が移動している間、移動量に応じて他の利用者に対する評価が変化し、一の利用者が指を操作パネル２０５から離すことにより、他の利用者に対する評価が確定される。
次に、評価送信部２５は、他の利用者に対する評価として、Ｓ１０４で決定された評価の情報を管理装置１０に送信する（Ｓ１０５）。これにより、管理装置１０は、一の利用者端末２０から送信されてきた評価の情報を取得する。そして、本処理フローは終了する。
【００３５】
一方、Ｓ１０３で否定の判断（ＮＯ）がされた場合、評価決定部２４は、他の利用者の画像が操作パネル２０５に表示されてから特定の時間（例えば、５秒間）が経過したか否かを判定する（Ｓ１０６）。
Ｓ１０６で否定の判断（ＮＯ）がされた場合、Ｓ１０３に移行する。
Ｓ１０６で肯定の判断（ＹＥＳ）がされた場合、即ち、他の利用者の画像が操作パネル２０５に表示されてから特定の時間内に、操作パネル２０５において指を接触させる操作が行われない場合、評価決定部２４は、他の利用者に対する評価を予め定められた評価とすることを決定する（Ｓ１０７）。このような構成により、操作パネル２０５にて指示して他の利用者を評価する手段と、指示せずに他の利用者を評価する手段とを併用することができる。そして、Ｓ１０５に移行する。
【００３６】
なお、ここでは特定の時間内に、操作パネル２０５において指を接触させる操作が行われない場合、他の利用者に対する評価を予め定められた評価とすることを決定する（Ｓ１０７）ことを説明したが、この処理はあくまで例示であり、他の処理を行ってもよい。例えば、操作パネル２０５において指を接触させる操作が一定時間行われない場合に、それ以降の処理を行わない態様であってもよい。すなわち、図５に示す例とは異なり、指を接触させる操作がなされるまで待機する処理としてもよい。この処理により、利用者の意図しない評価が入力されることが抑制される。
【００３７】
＜利用者端末２０の処理の具体例＞
次に、図６および図７を参照しながら、利用者端末２０の処理について、具体例を挙げて説明する。図６および図７は、一の利用者端末２０において一の利用者が他の利用者を評価する際の処理の具体例を説明するための図である。この例では、一の利用者を利用者Ａ、一の利用者端末２０を利用者端末２０Ａとする。また、他の利用者を利用者Ｂ、他の利用者端末２０を利用者端末２０Ｂとする。
なお、以下に示すステップ（即ち、符号のＳ）は、図５の各ステップに対応する。
【００３８】
まず、利用者Ａは、利用者端末２０Ａから管理装置１０にアクセスして、マッチングサービスの各機能を実現するアプリケーションを管理装置１０からダウンロードする。そして、利用者Ａは、利用者端末２０Ａにて、ダウンロードしたアプリケーションをインストールして、マッチングサービスの利用を開始する。利用者Ａによるマッチングサービスの利用中、利用者端末２０Ａの他利用者情報取得部２１は、管理装置１０から、評価の対象となる評価対象者の情報として、利用者Ｂの情報を取得する（Ｓ１０１）。付言すると、利用者Ｂは、既にマッチングサービスの利用を開始しており、利用者Ｂの氏名、性別、年齢、職業、血液型、利用者Ｂの画像等の情報が管理装置１０に格納されている。
【００３９】
次に、表示制御部２３は、取得した利用者Ｂの画像を操作パネル２０５に表示する（Ｓ１０２）。図６（Ａ）に示す例では、利用者端末２０Ａの操作パネル２０５に、利用者Ｂの画像である他利用者画像２１１が表示されている。また、評価値画像２１２は、他の利用者（この例では、利用者Ｂ）に対する評価の値を示す画像である。評価の値はパーセンテージで表され、その値が大きいほど評価が高いことを意味する。図示の例では、利用者Ｂに対する評価はまだ行われていないため、評価値画像２１２に評価の値は示されていない。ここで、表示制御部２３は、評価値画像２１２を、操作パネル２０５における利用者Ｂの他利用者画像２１１と重なる位置に表示してもよい。
【００４０】
次に、図６（Ｂ）に示すように、利用者Ａが操作パネル２０５に指を接触させると（Ｓ１０３でＹＥＳ）、利用者Ｂに対する評価を決定する処理が開始される（Ｓ１０４）。ここで、評価決定部２４は、利用者Ａが操作パネル２０５に指を接触させて接触位置を移動させる移動量に応じて、利用者Ｂに対する評価を異ならせる。更に説明すると、評価決定部２４は、利用者Ａによる接触位置の移動量の増加に伴って、利用者Ｂに対する評価を上げる（即ち、評価を高める）処理を行う。
【００４１】
図６（Ｂ）に示す例では、利用者Ａは、接触を開始した点Ａから指を動かしていないため、接触位置の移動量は「０」であり、利用者Ｂに対する評価の値は「０％」となる。そのため、評価値画像２１２には「０％」と示されている。この状態で、利用者Ａが点Ａから図中上方向に指を動かすと、接触位置の移動量に応じて、利用者Ｂに対する評価の値が「０％」から増加していき、評価値画像２１２に表示される評価の値も増加していく。
【００４２】
次に、図６（Ｃ）に示す例は、利用者Ａが、点Ａから図中上方向に指を動かして点Ｂまで移動させた状態を示している。図示の例では、接触位置の移動量はＬ１であり、移動量Ｌ１に応じた評価として、利用者Ｂに対する評価の値は「３０％」となる。そのため、評価値画像２１２には「３０％」と示されている。
【００４３】
付言すると、マッチングサービスでは、接触位置の移動量を基に評価の値を算出する規則（以下、「評価規則」と称する）が予め定められている。この評価規則は、接触位置の移動量と評価の値とを対応付ける規則として捉えることもできる。評価決定部２４は、この評価規則に基づいて、移動量に応じた評価を決定する。図示の例では、評価決定部２４は、評価規則に基づいて、移動量Ｌ１に応じた評価として、評価の値を「３０％」と決定する。ここで、評価規則は、マッチングサービス提供側である管理装置１０が予め設定してもよいが、評価する側の利用者が設定することとしてもよい。また、利用者が設定を変更できるようにしてもよい。例えば、利用者の中には、接触操作の際に指を大きく動かす癖のある利用者もいれば、指をあまり動かさない利用者もいると考えられる。そこで、指をあまり動かさない利用者であれば、接触位置の移動量に対して評価の値の変化が大きくなるように評価規則を設定することが考えられる。
【００４４】
また、接触位置の移動量の増加に伴って、評価領域画像２１３の表示領域が拡張する。評価領域画像２１３は、評価を直感的に把握できるようにするための画像であり、接触位置の移動量の増加に伴って、言い換えると、他の利用者（この例では、利用者Ｂ）に対する評価の向上に伴って、評価領域画像２１３の表示領域が拡張する。このような構成により、利用者Ｂに対する評価を把握し易くなる。また、表示制御部２３は、評価領域画像２１３を、利用者Ｂの他利用者画像２１１に重ねて操作パネル２０５に表示する。評価領域画像２１３を利用者Ｂの他利用者画像２１１に重ねて表示することにより、更に、利用者Ｂに対する評価を把握し易くなる。
【００４５】
次に、図６（Ｄ）に示す例は、利用者Ａが、点Ｂから図中上方向に指を動かして点Ｃまで移動させた状態を示している。図示の例では、接触位置の移動量はＬ２であり、移動量Ｌ２に応じた評価として、利用者Ｂに対する評価の値は「６０％」となる。そのため、評価値画像２１２には「６０％」と示されている。また、接触位置の移動量の増加に伴って、評価領域画像２１３の表示領域が拡張している。
【００４６】
ここで、利用者Ａが指を操作パネル２０５から離すと、利用者Ｂに対する評価の値が「６０％」として確定される。図６（Ｅ）に示す例は、利用者Ｂに対する評価が確定された状態を示している。評価が確定されると、評価が確定されたことを示す表示態様がなされる。図示の例では、評価が確定されたことを示す表示態様として、評価値画像２１２を囲む評価確定画像２１４が表示されている。また、評価送信部２５は、利用者Ａによる利用者Ｂに対する評価として、「６０％」という評価の値を管理装置１０に送信する（Ｓ１０５）。
【００４７】
また、利用者Ｂの画像が操作パネル２０５に表示されてから特定の時間内に、利用者Ａが操作パネル２０５に指を接触させる操作を行わない場合（Ｓ１０３でＮＯ、Ｓ１０６でＹＥＳ）、評価決定部２４は、利用者Ｂに対する評価を予め定められた評価とすることを決定する（Ｓ１０７）。例えば、評価決定部２４は、利用者Ｂに対する評価の値を「０％」とすることを決定する。そして、評価送信部２５は、利用者Ａによる利用者Ｂに対する評価として、「０％」という評価の値を管理装置１０に送信する（Ｓ１０５）。なお、予め定められた評価（この例では「０％」）は、マッチングサービス提供側である管理装置１０が予め設定してもよいし、評価する側の利用者が設定することとしてもよい。また、利用者が設定を変更できるようにしてもよい。
【００４８】
更に、上述した例では、接触位置の移動量の増加に伴って、言い換えると、他の利用者に対する評価の向上に伴って、評価領域画像２１３の表示領域を拡張することとしたが、表示領域を拡張することに替えて、あるいは表示領域を拡張することとともに、評価領域画像２１３の色を変化させることとしてもよい。例えば、他の利用者に対する評価の値が０％以上５０％未満の場合には評価領域画像２１３は青色に表示され、５０％以上８０％未満の場合には緑色に表示され、８０％以上の場合には赤色に表示される。このように、接触位置の移動量に応じて、言い換えると、他の利用者に対する評価に応じて、評価領域画像２１３の表示領域や色等の表示態様を変化させることとしてもよい。
【００４９】
次に、利用者Ｂに対する評価が終了した後、続けて、利用者Ｂとは別の利用者に対する評価が行われる場合には、別の利用者の画像が新たに表示される。図６（Ｆ）に示す例では、評価の対象となる別の利用者（例えば、利用者Ｃ）の他利用者画像２１５が表示されている。利用者Ａが、利用者Ｂを評価した場合と同様に利用者Ｃに対する評価を行うと、利用者Ｃに対する評価の値が管理装置１０に送信される。
【００５０】
このようにして、一の利用者が操作パネル２０５に接触する接触位置を移動させることにより、他の利用者に対する評価が行われる。そのため、他の利用者を評価する際に、例えば、「３０％」、「６０％」等の文字を入力して評価する構成と比較して、簡易な操作で他の利用者を評価できるようになる。さらに説明をすると、一の利用者のワンアクションにより、他の利用者の評価が可能となる。
【００５１】
なお、管理装置１０は、一の利用者端末２０から、他の利用者に対する評価の情報を取得すると、評価の情報に応じた処理を実行する。例えば、他の利用者に対する評価の値が予め定められた閾値（例えば、５０％）を超えている場合、他の利用者端末２０に対して一の利用者の情報を送信して、他の利用者に一の利用者を紹介する。他の利用者が、その紹介に応答すると、一の利用者と他の利用者とが結び付けられて、相互に情報のやり取りを行うことが可能になる。一方、他の利用者に対する評価の値が予め定められた閾値以下の場合、管理装置１０は、他の利用者端末２０に対して一の利用者の情報を送信しない。
【００５２】
ここで、管理装置１０は、他の利用者端末２０に対して、一の利用者の情報に加えて、一の利用者が行った評価の情報を送信してもよい。より具体的には、例えば、一の利用者が他の利用者をどの程度高く評価したかを示す情報を送信したり、一の利用者による評価の値（例えば、「６０％」という値）をそのまま送信したりしてもよい。更に、評価に応じて、他の利用者端末２０における表示態様を異ならせてもよい。例えば、一の利用者による評価が特に高い場合（例えば、評価の値が１００％の場合）には、他の利用者端末２０において特別の画像が表示される。他の利用者としては、一の利用者による評価が高いほど、応答しようという気持ちになり易い。このようにして、利用者同士を結び付けるマッチングが行われる。
【００５３】
また、管理装置１０は、一の利用者端末２０から取得する評価の情報を解析して、一の利用者による評価の傾向を把握する。より具体的には、例えば、一の利用者がどのような外見を好む傾向にあるかを把握する。そして、管理装置１０は、その傾向に従って、一の利用者の好みに合うと予想される他の利用者の画像を優先して、一の利用者に提供する。一の利用者としては、自己の好みに合うと予想される他の利用者の画像が優先的に表示されるため、例えば、管理装置１０が不作為に選んだ他の利用者の画像を提供する構成と比較して、自己の好みに合う他の利用者とマッチングして情報のやり取りを行い易くなる。一の利用者が他の利用者を評価する度に、その評価の情報が管理装置１０に送信されるため、一の利用者が評価を行えば行うほど、解析の精度は向上することになる。
【００５４】
また、評価決定部２４は、一の利用者による接触位置の特定方向への移動により他の利用者に対する評価を上げるとともに、接触位置が当該特定方向とは反対方向に移動した場合には、他の利用者に対する評価を下げる（即ち、評価を低める）こととしてもよい。より具体的には、図６に示す例では、接触位置の図中上方向への移動により利用者Ｂに対する評価を上げることとしたが、接触位置が図中上方向とは反対方向（即ち、図中下方向）に移動した場合に、利用者Ｂに対する評価を下げることとしてもよい。このような構成により、他の利用者（この例では、利用者Ｂ）に対する評価の調整や修正が容易になる。
【００５５】
図７（Ａ）に示す例は、利用者Ａが、接触を開始した点Ａから図中上方向に指を動かして点Ｂまで移動させた状態を示しており、この状態での利用者Ｂに対する評価の値は「３０％」である。次に、利用者Ａは、点Ｂから図中下方向に指を動かすと、接触位置の移動量に応じて、利用者Ｂに対する評価の値が「３０％」から減少していく。図７（Ｂ）に示す例では、利用者Ａが、点Ｂから図中下方向に指を動かして点Ｄまで移動させた状態を示しており、この状態での利用者Ｂに対する評価の値は「３０％」から「２５％」に減少している。また、利用者Ｂに対する評価の低下に伴って、評価領域画像２１３の表示領域が縮小する。ここで、利用者Ａが、点Ｄから再び図中上方向に指を動かすと、接触位置の移動量に応じて、利用者Ｂに対する評価の値が「２５％」から増加し、評価領域画像２１３の表示領域が拡張する。
【００５６】
また、図６および図７に示す例では、利用者Ａが接触位置を図中上方向に移動させることにより、利用者Ｂに対する評価を上げることとしたが、利用者Ｂに対する評価を上げる際の接触位置の移動方向は、図中上方向に限られない。
図８は、他の利用者に対する評価を上げる際の接触位置の移動方向の他の例を説明するための図である。図８（Ａ）に示す例では、図中上方向を基準として３０度傾いた矢印方向に接触位置を移動させることにより、接触位置の移動量に応じて、利用者Ｂに対する評価を上げる処理が行われる。また、図８（Ｂ）に示すように、図中右方向に接触位置を移動させることにより、利用者Ｂに対する評価を上げることとしてもよい。更に、図８（Ｃ）に示すように、図中下方向に接触位置を移動させることにより、利用者Ｂに対する評価を上げることとしてもよい。このように、接触位置を特定方向に移動させることにより、接触位置の移動量に応じて、他の利用者に対する評価を上げる処理が行われる。
【００５７】
また、図６〜図８に示す例では、評価決定部２４は、利用者Ａが接触位置を直線方向に沿って移動させた場合に利用者Ｂに対する評価を異ならせることとしたが、接触位置の移動方向は直線方向に限られない。
図９は、他の利用者に対する評価をする際の接触位置の移動方向の他の例を説明するための図である。図９（Ａ）に示す例では、評価決定部２４は、円弧状に沿って接触位置が移動した場合に、接触位置の移動量に応じて利用者Ｂに対する評価を異ならせる。より具体的には、例えば、利用者Ａが接触位置を図示の矢印方向に移動させることにより、利用者Ｂに対する評価を上げる処理が行われる。また、評価を直感的に把握できるようにするための評価領域画像２１３の形状は扇形となり、接触位置の移動量の増加に伴って、扇形の評価領域画像２１３の表示領域が拡張する。
【００５８】
また、図９（Ｂ）に示すように、左右交互に曲がった稲妻形に接触位置を移動させることにより、接触位置の移動量に応じて、利用者Ｂに対する評価を異ならせることとしてもよい。更に、図９（Ｃ）に示すように、波線状に接触位置を移動させることにより、接触位置の移動量に応じて、利用者Ｂに対する評価を異ならせることとしてもよい。また、図９（Ｄ）に示すように、操作パネル２０５上で指をこするようにして、一の方向と反対方向とに繰り返し指を動かすことにより、利用者Ｂに対する評価を異ならせることとしてもよい。この場合、例えば、指をこする動作をすればするほど、利用者Ｂに対する評価が上がり、評価領域画像２１３の表示領域が拡張する。
【００５９】
また、本実施の形態において、一の利用者が他の利用者を評価する際の操作態様を、一の利用者自身が設定できるようにしてもよい。一の利用者が他の利用者を評価する際の操作としては、上述した例のように、直線方向に指を動かす操作、円弧状に沿って指を動かす操作等がある。また、直線方向にも、上方向や斜め方向、右方向、下方向等がある。これらの操作のうち、どの操作を行い易いかは、例えば個々の利用者の癖、利き手（左手、右手）、操作する指（人差し指、親指等）によって異なると考えられる。そこで、例えば、設定画面において、評価する際の接触位置の移動方向として、「直線方向」又は「円弧状」のどちらを採用するかの選択を受け付ける。また、「直線方向」の場合、「上下方向」又は「左右方向」のどちらを採用するかの選択を受け付ける。例えば、円弧状に沿った接触操作を行い易いと考える一の利用者は、「円弧状」を選択する。その結果、一の利用者が他の利用者を評価する際、一の利用者が円弧状に沿って接触位置を移動させることにより、接触位置の移動量に応じて他の利用者に対する評価を異ならせる処理が行われるようになる。
【００６０】
また、本実施の形態において、評価対象者である他の利用者の画像を表示するとともに、他の利用者の画像以外の情報を表示することとしてもよい。他の利用者の画像以外の情報としては、例えば、他の利用者の年齢や職業、血液型等が挙げられる。ただし、異性や同性との出会いを目的とする場合、評価対象者である他の利用者の外見が重要な要素になる。そこで、他の利用者の外見を分かり易くするために、他の利用者の画像は他の情報（例えば、他の利用者の年齢や職業、血液型）よりも優先的に表示される。より具体的には、例えば、他の利用者の画像の表示領域が、他の情報の表示領域よりも大きくなるように表示される。また、例えば、他の利用者の画像の表示領域が、予め定められた大きさ（例えば、予め定められた面積）を超えるように表示される。更に、例えば、操作パネル２０５の画面全体のうち他の利用者の画像の占める割合が、予め定められた割合を超えるように表示される。また、異性や同性との出会いを目的とする場合に重要性の低い情報を表示しないこととしてもよい。例えば、他の利用者のニックネームは表示されるとしても、他の利用者の氏名は表示されない。
なお、他の利用者の画像とともに他の情報を表示する場合、他の情報も含めて解析が行われる。例えば、他の利用者の画像とともに他の利用者の年齢を表示する場合、一の利用者による評価の情報を解析することにより、一の利用者がどのような外見および年齢を好む傾向にあるかが把握される。
【００６１】
ここで、評価者である一の利用者が、評価対象者である他の利用者の情報として表示する情報の種類や表示態様を設定できるようにしてもよい。例えば、一の利用者は、マッチングにおいて相手の年齢を重視する場合、他の利用者の画像とともに表示する情報として、「年齢」の項目を選択する。また、「年齢」が他の利用者の画像の右上に表示されるように設定する。その結果、一の利用者が他の利用者を評価する際、他の利用者の画像とともに、その画像の右上に他の利用者の年齢が表示されるようになる。
【００６２】
また、利用者が評価される際に自己のアピールしたい情報を見てもらい易くするために、評価者の画面上に表示する情報の種類や表示態様を、評価される利用者自身が設定できるようにしてもよい。例えば、利用者は、マッチングにおいて自己の趣味をアピールしたい場合、自己が評価される際に表示する情報として、「趣味」の項目を選択する。また、「趣味」が自己の画像の右上に表示されるように設定する。その結果、この利用者が評価される際、評価者の利用者端末２０の画面上には、当該利用者の画像とともに、その画像の右上に当該利用者の趣味が表示されるようになる。
【００６３】
また、一の利用者が他の利用者を評価する際に、一の利用者が評価を開始してから特定の時間（例えば、１０秒間）を経過しても評価を終了させない場合、他の利用者の情報を追加で表示したり他の利用者の画像の表示領域を拡張したりしてもよい。付言すると、例えば、一の利用者が評価の判断に迷った場合や評価の判断が遅かった場合、他の利用者の情報を追加で表示したり他の利用者の画像の表示領域を拡張したりしてもよい。より具体的には、例えば、他の利用者の画像が操作パネル２０５に表示された際に、一の利用者が接触操作を開始してから特定の時間を経過しても接触操作を継続しており、他の利用者に対する評価が終了していない場合、他の利用者の情報が追加で操作パネル２０５に表示される。追加で表示される情報は、例えば、他の利用者の年齢や職業、血液型等である。また、追加で表示される情報の種類や表示態様について、上述した例と同様に、評価者である利用者が設定したり、評価される側の利用者が設定したりすることができるようにしてもよい。
【００６４】
＜変形例＞
次に、本実施の形態に係る変形例について説明する。なお、以下の説明においては、上記実施形態の構成と同一の部分には同一の符号をつけ、その詳細な説明は省略する。
【００６５】
（他の利用者に対する評価をする際の処理の他の例）
図１０を参照しながら、他の利用者に対する評価をする際の処理の他の例について説明する。上述した例では、操作パネル２０５における接触位置の移動量に応じて評価を異ならせることとしたが、他の利用者に対する評価をする際の処理としては、このような構成に限られない。
例えば、操作パネル２０５における接触位置の接触時間に応じて、他の利用者に対する評価を異ならせることとしてもよい。図１０（Ａ）は、操作パネル２０５における接触位置の接触時間に応じて他の利用者に対する評価を異ならせる場合について説明するための図である。この構成では、一の利用者が操作パネル２０５に指を接触させると、その接触時間に応じて、他の利用者に対する評価が行われる。より具体的には、例えば、接触時間が長いほど、他の利用者に対する評価が高くなる。
【００６６】
また、例えば、操作パネル２０５における接触位置の移動速度に応じて、他の利用者に対する評価を異ならせることとしてもよい。図１０（Ｂ）は、操作パネル２０５における接触位置の移動速度に応じて他の利用者に対する評価を異ならせる場合について説明するための図である。この構成では、一の利用者が操作パネル２０５に指を接触させて接触位置を移動させると、その移動速度Ｖに応じて、他の利用者に対する評価が行われる。例えば、移動速度Ｖとして、接触位置の初速や、指を操作パネル２０５から離す際の接触位置の移動速度、接触を開始してから指を操作パネル２０５から離すまでの間の接触位置の平均の移動速度等に応じて、他の利用者に対する評価が行われる。より具体的には、例えば、移動速度Ｖが大きいほど、他の利用者に対する評価が高くなる。
【００６７】
更に、例えば、操作パネル２０５における接触位置に応じて、他の利用者に対する評価を異ならせることとしてもよい。図１０（Ｃ）は、操作パネル２０５における接触位置に応じて他の利用者に対する評価を異ならせる場合について説明するための図である。図示の例では、「０％」、「５０％」、「１００％」などの目盛りが付された目盛板を示す目盛板画像２１６が表示されている。ここで、一の利用者が目盛板画像２１６に指を接触させると、その接触位置に対応する値が、他の利用者に対する評価の値となる。この例では、接触位置に対応する値は「７５％」であるため、他の利用者に対する評価の値は「７５％」となる。なお、目盛板画像２１６は、「０％」乃至「１００％」の範囲に限定されない。「０」乃至「１０」、「０」乃至「１０００」などの他の数値の範囲で規定してもよいし、「ＡＡＡＡ〜ＣＣＣ」などの記号による範囲で規定してもよい。
【００６８】
（指示操作の他の例）
上述した例では、一の利用者が片手でスワイプ操作をするなど、操作パネル２０５上での一の利用者の接触操作により指示を行い、その指示位置の移動量に応じて他の利用者に対する評価を異ならせることとした。しかし、本実施の形態において、一の利用者が操作パネル２０５において指示する操作は、接触操作に限られない。例えば、一の利用者がマウス等の入力デバイスを用いて、操作パネル２０５において指示することとしてもよい。より具体的には、例えば、一の利用者が、所謂ドラッグアンドドロップ操作やスライド操作といった、マウス等の入力デバイスを用いて操作パネル２０５において指示する指示位置の移動量に応じて、他の利用者に対する評価を異ならせることとしてもよい。
【００６９】
（評価対象者に対する評価の他の例）
上述した例では、一の利用者は、マッチングサービスの利用中に、一の利用者と結び付く候補となる他の利用者を評価することとした。ここで、一の利用者がアプリケーションをインストールしてマッチングサービスを初めて利用する際に、他の利用者を評価することとしてもよい。例えば、一の利用者がマッチングサービスを初めて利用する際、複数の他の利用者が順番に表示されるため、一の利用者は、表示される他の利用者に対する評価を順番に行う。一定数（例えば、１０人）の他の利用者を評価すると、管理装置１０は、その評価の情報を解析して、一の利用者による評価の傾向を把握する。それ以降、管理装置１０は、その傾向に従って、一の利用者の好みに合うと予想される他の利用者の画像を優先して、一の利用者に提供する。
また、本実施の形態において、一の利用者が評価するのは、マッチングサービスを利用する他の利用者でなくてもよい。例えば、マッチングサービスにおいて、評価対象者の画像を予め用意しておき、その画像を一の利用者端末２０に表示して、一の利用者が評価することとしてもよい。このような構成であっても、一の利用者による評価の傾向を把握することが可能である。
【００７０】
（評価の情報を表示しない例）
上述した例では、他利用者画像２１１（図６参照）として、利用者を示す画像を表示することを説明した。ここで、他利用者画像２１１は、利用者を示す画像であれば特に限定されるものではなく、利用者を撮影した写真（静止画）や動画、利用者を示すアイコンやキャラクター画像などの図形でもよい。また、他利用者画像２１１は、利用者の年齢や職業、趣味などの利用者に関する情報を示す文字列などでもよい。
【００７１】
（評価の情報を表示しない例）
上述した例では、一の利用者が一の利用者端末２０にて他の利用者を評価した場合、その評価の情報として、他利用者画像２１１とともに、評価値画像２１２（図６参照）や評価領域画像２１３（図６参照）を一の利用者端末２０に表示した。しかし、本実施の形態では、このような評価の情報を表示しなくてもよい。例えば、一の利用者が一の利用者端末２０にて他の利用者を評価する際、他利用者画像２１１を表示する一方で、評価値画像２１２（図６参照）や評価領域画像２１３（図６参照）などの評価の情報を一の利用者端末２０に表示せずに、一の利用者の操作によって評価が確定すると、確定した評価の情報を評価送信部２５が管理装置１０に送信することとしてもよい。
【００７２】
（マッチングサービスの他の例）
本実施の形態において、管理装置１０が提供するマッチングサービスとしては、一の利用者と他の利用者とを結び付けるものであればよく、異性や同性との出会いを求める利用者同士を結び付けることを目的とするもののほかに、企業と人材とを結び付けることを目的とするものや、仕事を依頼する発注者側と仕事を受ける受注者側とを結び付けることを目的とするもの等が存在する。マッチングサービスの内容や目的によって、評価対象者の情報として表示される情報の種類は異なる。
例えば、企業と人材とを結び付ける場合、企業の採用担当者の利用者端末２０には、就職希望者の画像や年齢、経歴、希望職種等の情報が表示される。企業の採用担当者はこれらの情報を確認して就職希望者に対する評価を行う。また、例えば、就職希望者が企業を評価する場合、就職希望者の利用者端末２０には、企業の企業名や事業内容等の情報が表示される。就職希望者はこれらの情報を確認して企業に対する評価を行う。更に、例えば、発注者側と受注者側とを結び付ける場合、発注者側の利用者端末２０には、仕事の受注を希望する者の画像や事業内容等の情報が表示される。発注者側はこれらの情報を確認して受注を希望する者に対する評価を行う。
【００７３】
なお、ここでの利用者は、管理装置１０が提供するマッチングサービスを利用する主体、すなわち利用主体と言い替えてもよい。この利用者としては、例えば、企業や事業体などが含まれる。さらに説明をすると、利用者としては、複数の人員によって構成されるグループや組織が含まれる。言い替えると、利用者は、１人によって構成されてもよいし、複数人によって構成されてもよい。
【００７４】
（マッチングサービスを提供しない例）
上述した例では、管理装置１０がマッチングサービスを提供するものとしたが、本実施の形態に係る技術は、管理装置１０がマッチングサービスを提供しない場合であっても適用することが可能である。付言すると、評価の対象となる評価対象者の画像等の情報を表示して、操作者の指示操作を受け付ける場合であれば、本実施の形態に係る技術を適用することが可能である。例えば、利用者端末２０の操作者が、操作パネル２０５にてマッチングサービスとは関係しないＷｅｂサイトを閲覧している際に、評価対象者の画像が表示された場合、操作者が操作パネル２０５において指示する指示位置の移動量に応じて、その評価対象者に対する評価を異ならせる処理を行ってもよい。
【００７５】
なお、上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【００７６】
利用者端末２０は、操作端末の一例である。管理装置２０は、一の利用者と他の利用者とを結び付けるサービスを提供する管理装置の一例である。操作パネル２０５は、表示部の一例である。評価値画像２１２、評価領域画像２１３は、他の利用者に対する評価を示す画像の一例である。
【符号の説明】
【００７７】
１…情報処理システム、１０…管理装置、２０…利用者端末、２１…他利用者情報取得部、２２…操作受付部、２３…表示制御部、２４…評価決定部、２５…評価送信部、２０５…操作パネル、２１１，２１５…他利用者画像、２１２…評価値画像、２１３…評価領域画像
【要約】      （修正有）【課題】評価の対象となる評価対象者を評価する際に、文字を入力して評価する構成と比較して、簡易な操作で評価することが可能なプログラム及び情報処理システムを提供する。【解決手段】管理装置と、複数の利用者端末とが、ネットワークを介して通信する情報処理システムにおいて、コンピュータ装置によって構成される管理装置のプログラムは、一の利用者と他の利用者とを結び付けるサービスにおいて他の利用者の画像を表示部に表示するステップと、他の利用者の画像が表示部に表示された場合に、一の利用者が表示部において指示する指示位置の移動量に応じて他の利用者に対する評価を異ならせるステップとを実行させる。【選択図】図５【図１】
0006973824.tif 000002
【図２】
0006973824.tif 000003
【図３】
0006973824.tif 000004
【図４】
0006973824.tif 000005
【図５】
0006973824.tif 000006
【図６】
0006973824.tif 000007
【図７】
0006973824.tif 000008
【図８】
0006973824.tif 000009
【図９】
0006973824.tif 000010
【図１０】
0006973824.tif 000011